(57)【要約】【課題】表示座標上に表示された測定結果について、その測定内容を容易に把握することができる測定結果表示装置および測定結果表示方法を提供する。【解決手段】開始番号取得手段１１は、表示座標上でのいずれかの測定値群の表示開始位置の配列要素番号を取得する。表示幅取得手段１２は、上記表示座標上での測定値群のｘ軸方向の表示幅を取得する。カーソル座標取得手段１３は、上記表示座標上に表示されるカーソルのｘ座標を配列要素番号として取得する。カーソル位置算出手段１４は、開始番号取得手段１１、表示幅取得手段１２およびカーソル座標取得手段１３により取得された情報に基づいて、カーソルのｘ座標に対応する測定値の配列要素番号を、特定の測定結果群中の順番に変換する。【選択図】図１
2008203108.tif 000002
【特許請求の範囲】
【請求項１】
同一測定手順での測定により得られた測定値群の各測定値に要素番号を連番で付し、要素番号をｘ軸方向に、個々の測定値をｙ軸方向にとった表示座標上に測定結果を表示する測定結果表示装置において、
前記表示座標上でのいずれかの測定値群の表示開始位置の要素番号を取得する開始番号取得手段と、
前記表示座標上での前記測定値群のｘ軸方向の表示幅を取得する表示幅取得手段と、
前記表示座標上に表示されるカーソルのｘ座標を要素番号として取得するカーソル座標取得手段と、
前記開始座標取得手段、前記表示幅取得手段および前記カーソル座標取得手段により取得された情報に基づいて、前記カーソルのｘ座標に対応する測定値の要素番号を、特定の測定結果群中での順番に変換するカーソル位置算出手段と、
を備えることを特徴とする測定結果表示装置。
【請求項２】
カーソル位置算出手段による算出結果を表示するカーソル位置表示手段を備えることを特徴とする請求項１に記載の測定結果表示装置。
【請求項３】
前記開始座標取得手段および前記表示幅取得手段は、前記表示座標上への表示のための表示データに基づいて、前記測定結果の表示開始位置のｘ座標および前記測定結果のｘ軸方向の表示幅をそれぞれ取得することを特徴とする請求項１または２に記載の測定結果表示装置。
【請求項４】
前記開始座標取得手段および前記表示幅取得手段は、ユーザによって入力された前記測定結果の表示開始位置のｘ座標および前記測定結果のｘ軸方向の表示幅を、それぞれ取得することを特徴とする請求項１または２に記載の測定結果表示装置。
【請求項５】
同一測定手順での測定により得られた測定値群の各測定値に要素番号を連番で付し、要素番号をｘ軸方向に、個々の測定値をｙ軸方向にとった表示座標上に測定結果を表示する測定結果表示方法において、
前記表示座標上でのいずれかの測定値群の表示開始位置の要素番号を取得するステップと、
前記表示座標上での前記測定値群のｘ軸方向の表示幅を取得するステップと、
前記表示座標上に表示されるカーソルのｘ座標を要素番号として取得するステップと、
前記前記測定値群のｘ軸方向の表示幅を取得するステップ、前記測定値群のｘ軸方向の表示幅を取得するステップおよび前記カーソルのｘ座標を要素番号として取得するステップにより取得された情報に基づいて、前記カーソルのｘ座標に対応する測定値の要素番号を、特定の測定結果群中での順番に変換するステップと、
を備えることを特徴とする測定結果表示方法。
【発明の詳細な説明】
【技術分野】
【０００１】
本発明は、同一測定手順での測定により得られた測定値群の各測定値に要素番号を連番で付し、要素番号をｘ軸方向に、個々の測定値をｙ軸方向にとった表示座標上に測定結果を表示する測定結果表示装置および測定結果表示方法に関する。
【背景技術】
【０００２】
ＬＣＤドライバをテストするシステムとして、配列演算ユニットを搭載したものが存在する。配列演算ユニットは、配列変数間の大小関係をチェックする機能を備える。ユーザは配列演算ユニット上で３つ配列変数を用意し、それぞれの配列変数としてＬＣＤドライバの出力ピンの出力電圧、上限判定値および下限判定値を設定する。配列演算ユニットはこの３つの配列変数間の大小関係（上限判定値＞出力電圧＞下限判定値）が全ての配列要素において成立していればパスを、一箇所でも成立しない箇所があればフェイルを通知する。
【０００３】
配列変数表示ツールは配列演算ユニットの波形変数を波形状に表示する。ユーザは配列変数を指定することで、その配列変数の値を視覚的に確認することができる。また、配列変数表示ツールは波形同士の重ねあわせ機能を有するので、上記の上限判定値、出力電圧および下限判定値が設定された配列変数を重ねあわせ表示することにより、３つの配列変数の大小関係の判定を視覚的に捉えることができる。
【特許文献１】特開平５−２８１２９２号公報
【発明の開示】
【発明が解決しようとする課題】
【０００４】
配列演算ユニットでフェイルが発生した場合、ユーザは配列変数表示ツールで上記の３つの配列変数を重ねあわせ表示し、フェイル値を出力したデバイスの出力ピンおよびそのときの出力階調を特定するために、フェイルデータの位置にカーソルを移動する。フェイルデータにカーソルを移動させると、その位置における配列変数の配列要素番号が表示されるため、配列要素番号に基づいて、フェイル値を出力したピン、出力階調の算出が可能となる。
【０００５】
配列要素番号からピンおよび出力階調を特定するためには、通常配列要素番号を出力ピン数で割ることによって求まる。しかしフェイル箇所が多数存在する場合、この計算を繰り返し行う必要が生じ、ユーザにとって負担になる。さらに配列演算ユニットは複数の階調について、テスト判定を一括で行うことが可能なため、このようなテストデータに対してピン、出力階調を特定する場合は上記のような単純な割り算のみでは求まらず、オフセット等を考慮した複雑な計算が必要になってしまう。
【０００６】
本発明の目的は、表示座標上に表示された測定結果について、その測定内容を容易に把握することができる測定結果表示装置および測定結果表示方法を提供することにある。
【課題を解決するための手段】
【０００７】
本発明の測定結果表示装置は、同一測定手順での測定により得られた測定値群の各測定値に要素番号を連番で付し、要素番号をｘ軸方向に、個々の測定値をｙ軸方向にとった表示座標上に測定結果を表示する測定結果表示装置において、前記表示座標上でのいずれかの測定値群の表示開始位置の要素番号を取得する開始番号取得手段と、前記表示座標上での前記測定値群のｘ軸方向の表示幅を取得する表示幅取得手段と、前記表示座標上に表示されるカーソルのｘ座標を要素番号として取得するカーソル座標取得手段と、前記開始座標取得手段、前記表示幅取得手段および前記カーソル座標取得手段により取得された情報に基づいて、前記カーソルのｘ座標に対応する測定値の要素番号を、特定の測定結果群中での順番に変換するカーソル位置算出手段と、を備えることを特徴とする。
この測定結果表示装置によれば、いずれかの測定値群の表示開始位置の要素番号、および測定値群のｘ軸方向の表示幅に基づいて、表示座標上に表示されるカーソルのｘ座標に対応する測定値の要素番号を、特定の測定結果群中での順番に変換するので、表示座標上に表示された測定結果について、その測定内容を容易に把握することができる。
【０００８】
カーソル位置算出手段による算出結果を表示するカーソル位置表示手段を備えてもよい。
【０００９】
前記開始座標取得手段および前記表示幅取得手段は、前記表示座標上への表示のための表示データに基づいて、前記測定結果の表示開始位置のｘ座標および前記測定結果のｘ軸方向の表示幅をそれぞれ取得してもよい。
【００１０】
前記開始座標取得手段および前記表示幅取得手段は、ユーザによって入力された前記測定結果の表示開始位置のｘ座標および前記測定結果のｘ軸方向の表示幅を、それぞれ取得してもよい。
【００１１】
本発明の測定結果表示方法は、同一測定手順での測定により得られた測定値群の各測定値に要素番号を連番で付し、要素番号をｘ軸方向に、個々の測定値をｙ軸方向にとった表示座標上に測定結果を表示する測定結果表示方法において、前記表示座標上でのいずれかの測定値群の表示開始位置の要素番号を取得するステップと、前記表示座標上での前記測定値群のｘ軸方向の表示幅を取得するステップと、前記表示座標上に表示されるカーソルのｘ座標を要素番号として取得するステップと、前記前記測定値群のｘ軸方向の表示幅を取得するステップ、前記測定値群のｘ軸方向の表示幅を取得するステップおよび前記カーソルのｘ座標を要素番号として取得するステップにより取得された情報に基づいて、前記カーソルのｘ座標に対応する測定値の要素番号を、特定の測定結果群中での順番に変換するステップと、を備えることを特徴とする。
この測定結果表示方法によれば、いずれかの測定値群の表示開始位置の要素番号、および測定値群のｘ軸方向の表示幅に基づいて、表示座標上に表示されるカーソルのｘ座標に対応する測定値の要素番号を、特定の測定結果群中での順番に変換するので、表示座標上に表示された測定結果について、その測定内容を容易に把握することができる。
【発明の効果】
【００１２】
本発明の測定結果表示装置によれば、いずれかの測定値群の表示開始位置の要素番号、および測定値群のｘ軸方向の表示幅に基づいて、表示座標上に表示されるカーソルのｘ座標に対応する測定値の要素番号を、特定の測定結果群中での順番に変換するので、表示座標上に表示された測定結果について、その測定内容を容易に把握することができる。
【００１３】
本発明の測定結果表示方法によれば、いずれかの測定値群の表示開始位置の要素番号、および測定値群のｘ軸方向の表示幅に基づいて、表示座標上に表示されるカーソルのｘ座標に対応する測定値の要素番号を、特定の測定結果群中での順番に変換するので、表示座標上に表示された測定結果について、その測定内容を容易に把握することができる。
【発明を実施するための最良の形態】
【００１４】
以下、図１〜図５を参照して、本発明による測定結果表示装置をＬＣＤドライバテストシステムに適用した実施形態について説明する。
【００１５】
図１は、本実施形態の測定結果表示装置の構成を示すブロック図である。
【００１６】
図１に示すように、本実施形態の測定結果表示装置は、配列変数データである測定値の配列要素番号をｘ軸方向に、個々の測定値をｙ軸方向にとった表示座標上に測定結果を表示する画面表示装置２０と、上記表示座標上でのいずれかの測定値群の表示開始位置の配列要素番号を取得する開始番号取得手段１１と、上記表示座標上での測定値群のｘ軸方向の表示幅を取得する表示幅取得手段１２と、上記表示座標上に表示されるカーソルのｘ座標を配列要素番号として取得するカーソル座標取得手段１３と、開始番号取得手段１１、表示幅取得手段１２およびカーソル座標取得手段１３により取得された情報に基づいて、カーソルのｘ座標に対応する測定値の配列要素番号を、特定の測定結果群中の順番に変換するカーソル位置算出手段１４と、カーソル位置算出手段１４による算出結果を表示するカーソル位置表示手段１５と、を備える。
【００１７】
次に、本実施形態の測定結果表示装置の動作について説明する。
【００１８】
図２は、画面表示装置２０の表示画面を示す図である。また、図３はさらに表示を拡大した場合の表示画面を示す図である。
【００１９】
このＬＣＤドライバテストシステムでは、各ＬＣＤドライバに対して、同一の測定手順により測定を行っている。この測定手順では、決められた順序で階調を変えながらすべての出力ピンについて決められた順序でその出力値を測定し、この測定値に連続した配列要素番号を付して、配列変数データとして取り込んでいる。図２および図３において、表示画面のｘ座標は配列変数データの配列要素番号に、表示画面のｙ座標は配列変数データの値に、それぞれ対応している。図２に示す波形の１周期（後述するオフセット値４６Ａ）分が、１つのＬＣＤドライバについての配列変数データに対応しており、この例では、６４階調のすべてについて、それぞれの出力ピンに対する測定が行われている。図３に示すように、それぞれの階調において、すべての出力ピンについての配列変数データの値が表示座標のｘ軸方向（横方向）に連続的に並んでプロットされている。
【００２０】
このように、図２に示す波形の１周期分のデータとして、「階調数（６４）×出力ピン数」の個数の測定値２１（図３）が含まれている。また、図３に示すように、表示画面には、各階調ごとに測定値２１の正常範囲を示す上限値２２および下限値２３が表示されている。上限値２２および下限値２３は、測定値２１と同様、連続した配列要素番号を付した配列変数データとして予め取り込まれており、上限値２２および下限値２３の配列要素番号は、測定値２１の配列要素番号に対応している。
【００２１】
画面表示装置２０は、これらの配列変数データに基づいて図２および図３に示すような画面表示を実行する（図１）。上限値２２および下限値２３を越える場合には、その出力ピンに欠陥があると判定される。
【００２２】
また、図１に示すように、マウス等に対するユーザの操作に応じて生成されたカーソル座標データに基づいて、画面表示装置２０の表示画面の対応する位置に、カーソル４１，４２（図２）、カーソル４３，４４（図３）等が表示される。また、カーソル座標取得手段１３は、カーソル座標データから各カーソルの座標を取得し、そのｘ座標を配列要素番号に変換する（図１）。また、各カーソルのｘ座標に対応する配列要素番号は、画面表示装置２０の表示画面に表示される。例えば、カーソル４１の座標に対応する配列要素番号は領域４１ａ、領域２５に（図２）、カーソル４３の座標に対応する配列要素番号は領域４３ａ、領域２６（図３）に、それぞれ表示される。
【００２３】
図４は、表示画面上に表示される階調設定ダイアログを示す図である。
【００２４】
階調設定ダイアログ３を画面表示装置２０の表示画面に表示させ、階調設定ダイアログ３の階調自動判別ボタン３１をユーザが操作すると、開始番号取得手段１１および表示幅取得手段１２は、配列変数データ（上限値２２、下限値２３もしくは測定値２１）に基づいて階調開始点４６（図２）の配列要素番号、階調開始点４７（図３）の配列要素番号、階調間隔４８（図３）および階調数（例えば、６４）などの階調情報を自動的に判別する。階調開始点４６は、１つのＬＣＤドライバについて階調を切り替えつつ出力電圧を測定する一連の測定手順の開始点に対応する。また、階調開始点４７は、各階調での測定の開始点に対応する。階調間隔４８は、連続する階調開始点４７間の間隔に対応する。
【００２５】
自動判別された階調情報は階調設定ダイアログ３内に表示される。例えば、階調開始点４６は表示座標における原点からのオフセット値４６Ａ（図２）として領域４６ａに、階調間隔４８は領域４８ａに、階調数は領域４９に、それぞれ表示される。自動判別の結果を採用する場合には、ユーザが設定ボタン３２を操作することで、これらの値が階調情報として設定される。
【００２６】
自動判別の結果が誤っている場合などには、ユーザは階調設定ダイアログ３に配列要素番号を直接入力することもでき、この場合、開始番号取得手段１１および表示幅取得手段１２は配列変数データに代えて、ユーザによる入力データを用いて階調情報を生成する（図１）。同様に、ユーザが設定ボタン３２を操作することで、これらの値が階調情報として設定される。
【００２７】
階調情報が設定されると、カーソル位置算出手段１４は、階調情報に基づき、カーソル座標取得手段１３から得たカーソルのｘ座標に対応する配列要素番号を、カーソルが配置された階調およびその階調内でのその測定値の順番に変換する。上記のように、本実施形態では、各ＬＣＤドライバについて同一測定手順が繰り返し実行される。また、配列要素番号は各配列変数に連続して付されているため、配列要素番号は個々のＬＣＤドライバについて等しく消費される。このため、配列要素番号が、どのＬＣＤドライバについての測定値群に属するかが判別できるとともに、その測定値群のうちの何番目の測定値かも判別できる。さらに、各ＬＣＤドライバについて階調の順序、出力ピンの順序を含め、同一測定手順が実行されるため、階調および出力ピンの番号は、各ＬＣＤドライバについての測定値群内でのその測定値の順番により判別できる。このため、配列要素番号に基づき、各ＬＣＤドライバについての測定値群での階調および出力ピンの番号が一義的に特定される。
【００２８】
本実施形態では、階調情報に基づいて、配列要素番号をカーソルが配置された階調およびその階調内での出力ピンの番号に自動的に変換している。このため、データ数が多く、あるいは多数のサイクルで測定値を蓄積しているような場合であっても、瞬時に、かつ正確に変換が実行される。
【００２９】
図５は、カーソル位置表示手段１５による表示例を示す図である。図５の例では、カーソル位置算出手段１４により算出された階調およびその階調内での出力ピンの番号は、例えば、カーソル５１の近傍の領域５１ａおよび下方の領域５２に表示される。
【００３０】
このように、本実施形態の測定結果表示装置によれば、カーソルのｘ座標ないし、そのｘ座標に対応する配列要素番号が、階調およびその階調内での出力ピンの番号に変換して表示されるため、カーソルを合わせるだけで、ＬＣＤドライバの欠陥ピンなどを瞬時かつ正確に把握することができる。また、手作業による計算のミスに起因する誤認なども防止できる。
【００３１】
上記実施形態では、ｘ軸を横方向としているが、ｘ軸の向きは任意に定めることができる。
【００３２】
以上説明したように、いずれかの測定値群の表示開始位置の要素番号、および測定値群のｘ軸方向の表示幅に基づいて、表示座標上に表示されるカーソルのｘ座標に対応する測定値の要素番号を、特定の測定結果群中での順番に変換するので、表示座標上に表示された測定結果について、その測定内容を容易に把握することができる。
【００３３】
本発明の適用範囲は上記実施形態に限定されることはない。本発明は、同一測定手順での測定により得られた測定値群の各測定値に要素番号を連番で付し、要素番号をｘ軸方向に、個々の測定値をｙ軸方向にとった表示座標上に測定結果を表示する測定結果表示装置および測定結果表示方法に対し、広く適用することができる。
【図面の簡単な説明】
【００３４】
【図１】一実施形態の測定結果表示装置の構成を示すブロック図。
【図２】画面表示装置の表示画面を示す図。
【図３】表示を拡大した場合の表示画面を示す図。
【図４】表示画面上に表示される階調設定ダイアログを示す図。
【図５】カーソル位置表示手段による表示例を示す図。
【符号の説明】
【００３５】
１１    開始番号取得手段
１２    表示幅取得手段
１３    カーソル座標取得手段
１４    カーソル位置算出手段
１５    カーソル位置表示手段
【図１】
2008203108.tif 000003
【図２】
2008203108.tif 000004
【図３】
2008203108.tif 000005
【図４】
2008203108.tif 000006
【図５】
2008203108.tif 000007